(57)【要約】【課題】ユーザの意図を反映した適切な撮影と画像の保存を両立できるようにする。【解決手段】中央制御部１１は、ライブビュー画像とプレビュー画像とをタッチ画面ＴＳに同時に表示させている状態において、タッチ画面ＴＳ又は操作部１９からの撮影操作の受け付けとプレビュー画像に対応した撮影画像の保存を指示する保存操作の受け付けとの両方の操作を受け付け可能に制御する。例えば、タッチ画面ＴＳの中央部にライブビュー画像を表示させ、このライブビュー画像を中心としてその周辺部に複数枚のプレビュー画像を表示させる。【選択図】  図１
2012015827.tif 000002
【特許請求の範囲】
【請求項１】
被写体を撮像して画像信号として出力する撮像手段を制御する端末装置であって、
前記撮像手段から順次出力される画像信号に基づいて、被写体に係る本撮影前の画像を示すライブビュー画像を生成する第１生成手段と、
撮影を指示するための撮影操作を受け付ける第１受付手段と、
前記第１受付手段により撮影操作を受け付けた場合に、前記撮像手段から出力される画像信号に基づいて、被写体に係る本撮影の画像を示すプレビュー画像を生成する第２生成手段と、
前記第１生成手段により生成されたライブビュー画像と前記第２生成手段により生成されたプレビュー画像とを表示部に同時に表示する第１表示制御手段と、
前記プレビュー画像に対応した撮影画像の保存を指示するための保存操作を受け付ける第２受付手段と、
前記第２受付手段により保存操作を受け付けた場合に、プレビュー画像に対応した撮影画像を記憶部に保存させる保存手段と、
前記ライブビュー画像と前記プレビュー画像とが前記表示部に同時に表示されている状態にあって、前記第１受付手段による撮影操作の受け付けと、前記第２受付手段による保存操作の受け付けとの両方の操作を受け付け可能に制御する制御手段と、
を備えることを特徴とする端末装置。
【請求項２】
前記第２生成手段は、プレビュー画像を複数生成し、
前記第１表示制御手段は、前記第１生成手段により生成されたライブビュー画像と前記第２生成手段により生成された複数のプレビュー画像とを表示部に同時に表示する、
ようにしたことを特徴とする請求項１記載の端末装置。
【請求項３】
前記複数のプレビュー画像のうち保存対象とするプレビュー画像を選択するための選択操作を受け付ける第３受付手段をさらに備え、
前記制御手段は、前記表示部にライブビュー画像と複数のプレビュー画像とが同時に表示されている場合に、前記撮影操作を受け付ける第１受付手段と、前記保存操作を受け付ける第２受付手段と、前記選択操作を受け付ける第３受付手段が有効となるように制御する、
ようにしたことを特徴とする請求項２記載の端末装置。
【請求項４】
前記保存手段は、前記選択操作によっていずれかのプレビュー画像が選択されている状態において前記第２受付手段により保存操作を受け付けた場合に、前記選択されているプレビュー画像に対応した撮影画像を保存する、
ようにしたことを特徴とする請求項３記載の端末装置。
【請求項５】
前記保存手段は、前記選択操作によっていずれのプレビュー画像も選択されていない状態において前記第２受付手段により保存操作を受け付けた場合に、前記表示部に表示されているプレビュー画像に対応した撮影画像を保存する、
ようにしたことを特徴とする請求項３記載の端末装置。
【請求項６】
前記保存手段は、前記選択操作によっていずれかのプレビュー画像が選択されている状態において前記第１受付手段により撮影操作を受け付けた場合に、前記選択されているプレビュー画像に対応した撮影画像を保存する、
ようにしたことを特徴とする請求項３記載の端末装置。
【請求項７】
前記保存手段は、前記選択操作によっていずれかのプレビュー画像が選択されている状態においても前記第１受付手段により撮影操作を受け付けた場合には、前記表示部に表示されているプレビュー画像に対応した撮影画像を保存する、
ようにしたことを特徴とする請求項３記載の端末装置。
【請求項８】
前記保存手段は、前記選択操作によっていずれのプレビュー画像も選択されていない状態において前記第１受付手段により撮影操作を受け付けた場合に、前記表示部に表示されているプレビュー画像に対応した撮影画像を保存する、
ようにしたことを特徴とする請求項３記載の端末装置。
【請求項９】
前記保存手段は、前記選択操作によっていずれかのプレビュー画像が選択されている状態において前記撮影操作、前記保存操作、前記選択操作のいずれも所定時間内に受け付けなかった場合に、前記選択されているプレビュー画像に対応した撮影画像を保存する、
ようにしたことを特徴とする請求項３記載の端末装置。
【請求項１０】
前記保存手段は、前記選択操作によっていずれかのプレビュー画像が選択されている状態において前記撮影操作、前記保存操作、前記選択操作のいずれも所定時間内に受け付けなかった場合に、前記表示部に表示されているプレビュー画像に対応した撮影画像を保存する、
ようにしたことを特徴とする請求項３記載の端末装置。
【請求項１１】
前記保存手段は、前記選択操作によっていずれのプレビュー画像も選択されていない状態において前記撮影操作、前記保存操作、前記選択操作を所定時間内に受け付けなかった場合には、前記表示部に表示されているプレビュー画像に対応した撮影画像を保存する、
ようにしたことを特徴とする請求項３記載の端末装置。
【請求項１２】
前記撮像手段は、前記第１受付手段により撮影操作を受け付けた場合に、被写体を撮像した画像信号を連続的に出力し、
前記第２生成手段は、前記撮像手段から連続的に出力される画像信号に基づいて、プレビュー画像を複数生成する、
ようにしたことを特徴とする請求項２記載の端末装置。
【請求項１３】
前記プレビュー画像に対応した撮影画像が前記記憶部に保存されている場合に、そのプレビュー画像に対応した撮影画像が保存されたことを識別するための識別表示を行う第２表示制御手段をさらに備える、
ようにしたことを特徴とする請求項２記載の端末装置。
【請求項１４】
前記表示部にライブビュー画像とプレビュー画像とが同時に表示されている状態において前記第１受付手段により撮影操作を受け付けた場合に、前記表示部に表示されているプレビュー画像を、前記第２生成手段により新たに生成されたプレビュー画像に切り替えて表示する第３表示制御手段をさらに備える、
ようにしたことを特徴とする請求項１記載の端末装置。
【請求項１５】
前記表示部にライブビュー画像とプレビュー画像とが同時に表示されている状態において前記第１受付手段により撮影操作を受け付けた場合に、前記表示部に表示されているプレビュー画像とともに前記新たに生成されたプレビュー画像を追加して表示する第４表示制御手段をさらに備える、
ようにしたことを特徴とする請求項１記載の端末装置。
【請求項１６】
コンピュータに対して、
被写体を撮像して画像信号として出力する撮像手段から順次出力される画像信号に基づいて、被写体に係る本撮影前の画像を示すライブビュー画像を生成する機能と、
撮影を指示するための撮影操作を受け付けた場合に、前記撮像手段から出力される画像信号に基づいて、被写体に係る本撮影の画像を示すプレビュー画像を生成する機能と、
前記生成されたライブビュー画像と前記生成されたプレビュー画像とを表示部に同時に表示する機能と、
前記プレビュー画像に対応した撮影画像の保存を指示するための保存操作を受け付けた場合に、プレビュー画像に対応した撮影画像を記憶部に保存させる機能と、
前記ライブビュー画像と前記プレビュー画像とが前記表示部に同時に表示されている状態にあって、前記撮影操作の受け付けと、前記保存操作の受け付けとの両方の操作を受け付け可能に制御する機能と、
を実現させるためのプログラム。
【発明の詳細な説明】
【技術分野】
【０００１】
本発明は、被写体を撮像して画像信号として出力する撮像手段を制御する端末装置及びプログラムに関する。
【背景技術】
【０００２】
一般に、撮影機能を制御可能な携帯電話機やデジタルカメラなどの端末装置における撮影方法としては、撮影された画像を自動的に保存する撮影方法と、撮影された画像をプレビュー画像として表示させた状態においてそのプレビュー画像に対してユーザ操作によってその保存が指示されたことを条件に当該プレビュー画像に対応した撮影画像を保存する撮影方法とがある。前者の場合には、撮影後にすぐに次の撮影が可能となるので、シャッターチャンスを逃しにくいという長所がある反面、不要な画像（撮影に失敗した画像など）までも保存されてしまうという短所がある。さらに、前者の場合には、撮影された画像を必ず保存するようにしているために画像を保存するための記憶領域の空きが無くなりやすく、無くなってしまうと、新たに撮影された画像を保存することできないという短所もある。このことは、複数の画像を１度に撮影する連続撮影（高速連写）において顕著なものとなる。
【０００３】
ところで、特許文献１には、電子カメラにおいて、連続撮影が実行された場合に、連写画像の合計データサイズと記録媒体の残容量を比較し、合計データサイズが大きい場合には、その旨を通知するとともに連写画像を表示させ、それら連写画像のうち保存指定があった画像のみを保存するようにしているが、その際に合計データサイズが小さい場合には、全ての連写画像を保存するようにした技術が開示されている。
【先行技術文献】
【特許文献】
【０００４】
【特許文献１】特開２００１−１８６３９７号公報
【発明の概要】
【発明が解決しようとする課題】
【０００５】
しかしながら、上述した先行技術にあっては、プレビュー画像（連写画像）を表示させるようにしているため、ユーザはライブビュー画像（本撮影前の画像）を確認することができず、シャッターチャンスを逃してしまうという短所がある。すなわち、上述した従来の技術全般においては、ユーザの意図を反映した適切な撮影と画像の保存との両立がなされていなかった。なお、このことは、連続撮影（高速連写）において顕著となる課題ではあるが、１枚の静止画撮影の場合でも同様の課題があることには変わりはない。
【０００６】
本発明の課題は、ユーザの意図を反映した適切な撮影と画像の保存を両立できるようにすることである。
【課題を解決するための手段】
【０００７】
上述した課題を解決するために請求項１記載の発明は、
被写体を撮像して画像信号として出力する撮像手段を制御する端末装置であって、
前記撮像手段から順次出力される画像信号に基づいて、被写体に係る本撮影前の画像を示すライブビュー画像を生成する第１生成手段と、
撮影を指示するための撮影操作を受け付ける第１受付手段と、
前記第１受付手段により撮影操作を受け付けた場合に、前記撮像手段から出力される画像信号に基づいて、被写体に係る本撮影の画像を示すプレビュー画像を生成する第２生成手段と、
前記第１生成手段により生成されたライブビュー画像と前記第２生成手段により生成されたプレビュー画像とを表示部に同時に表示する第１表示制御手段と、
前記プレビュー画像に対応した撮影画像の保存を指示するための保存操作を受け付ける第２受付手段と、
前記第２受付手段により保存操作を受け付けた場合に、プレビュー画像に対応した撮影画像を記憶部に保存させる保存手段と、
前記ライブビュー画像と前記プレビュー画像とが前記表示部に同時に表示されている状態にあって、前記第１受付手段による撮影操作の受け付けと、前記第２受付手段による保存操作の受け付けとの両方の操作を受け付け可能に制御する制御手段と、
を備えることを特徴とする。
【０００８】
請求項１に従属する発明として、
前記第２生成手段は、プレビュー画像を複数生成し、
前記第１表示制御手段は、前記第１生成手段により生成されたライブビュー画像と前記第２生成手段により生成された複数のプレビュー画像とを表示部に同時に表示する、
ようにしたことを特徴とする、請求項２記載の発明であってもよい。
【０００９】
請求項２に従属する発明として、
前記複数のプレビュー画像のうち保存対象とするプレビュー画像を選択するための選択操作を受け付ける第３受付手段をさらに備え、
前記制御手段は、前記表示部にライブビュー画像と複数のプレビュー画像とが同時に表示されている場合に、前記撮影操作を受け付ける第１受付手段と、前記保存操作を受け付ける第２受付手段と、前記選択操作を受け付ける第３受付手段が有効となるように制御する、
ようにしたことを特徴とする、請求項３記載の発明であってもよい。
【００１０】
請求項３に従属する発明として、
前記保存手段は、前記選択操作によっていずれかのプレビュー画像が選択されている状態において前記第２受付手段により保存操作を受け付けた場合に、前記選択されているプレビュー画像に対応した撮影画像を保存する、
ようにしたことを特徴とする、請求項４記載の発明であってもよい。
【００１１】
請求項３に従属する発明として、
前記保存手段は、前記選択操作によっていずれのプレビュー画像も選択されていない状態において前記第２受付手段により保存操作を受け付けた場合に、前記表示部に表示されているプレビュー画像に対応した撮影画像を保存する、
ようにしたことを特徴とする、請求項５記載の発明であってもよい。
【００１２】
請求項３に従属する発明として、
前記保存手段は、前記選択操作によっていずれかのプレビュー画像が選択されている状態において前記第１受付手段により撮影操作を受け付けた場合に、前記選択されているプレビュー画像に対応した撮影画像を保存する、
ようにしたことを特徴とする、請求項６記載の発明であってもよい。
【００１３】
請求項３に従属する発明として、
前記保存手段は、前記選択操作によっていずれかのプレビュー画像が選択されている状態においても前記第１受付手段により撮影操作を受け付けた場合には、前記表示部に表示されているプレビュー画像に対応した撮影画像を保存する、
ようにしたことを特徴とする、請求項７記載の発明であってもよい。
【００１４】
請求項３に従属する発明として、
前記保存手段は、前記選択操作によっていずれのプレビュー画像も選択されていない状態において前記第１受付手段により撮影操作を受け付けた場合に、前記表示部に表示されているプレビュー画像に対応した撮影画像を保存する、
ようにしたことを特徴とする、請求項８記載の発明であってもよい。
【００１５】
請求項３に従属する発明として、
前記保存手段は、前記選択操作によっていずれかのプレビュー画像が選択されている状態において前記撮影操作、前記保存操作、前記選択操作のいずれも所定時間内に受け付けなかった場合に、前記選択されているプレビュー画像に対応した撮影画像を保存する、
ようにしたことを特徴とする、請求項９記載の発明であってもよい。
【００１６】
請求項３に従属する発明として、
前記保存手段は、前記選択操作によっていずれかのプレビュー画像が選択されている状態において前記撮影操作、前記保存操作、前記選択操作のいずれも所定時間内に受け付けなかった場合に、前記表示部に表示されているプレビュー画像に対応した撮影画像を保存する、
ようにしたことを特徴とする、請求項１０記載の発明であってもよい。
【００１７】
請求項３に従属する発明として、
前記保存手段は、前記選択操作によっていずれのプレビュー画像も選択されていない状態において前記撮影操作、前記保存操作、前記選択操作を所定時間内に受け付けなかった場合には、前記表示部に表示されているプレビュー画像に対応した撮影画像を保存する、
ようにしたことを特徴とする、請求項１１記載の発明であってもよい。
【００１８】
請求項２に従属する発明として、
前記撮像手段は、前記第１受付手段により撮影操作を受け付けた場合に、被写体を撮像した画像信号を連続的に出力し、
前記第２生成手段は、前記撮像手段から連続的に出力される画像信号に基づいて、プレビュー画像を複数生成する、
ようにしたことを特徴とする、請求項１２記載の発明であってもよい。
【００１９】
請求項２に従属する発明として、
前記プレビュー画像に対応した撮影画像が前記記憶部に保存されている場合に、そのプレビュー画像に対応した撮影画像が保存されたことを識別するための識別表示を行う第２表示制御手段をさらに備える、
ようにしたことを特徴とする、請求項１３記載の発明であってもよい。
【００２０】
請求項１に従属する発明として、
前記表示部にライブビュー画像とプレビュー画像とが同時に表示されている状態において前記第１受付手段により撮影操作を受け付けた場合に、前記表示部に表示されているプレビュー画像を、前記第２生成手段により新たに生成されたプレビュー画像に切り替えて表示する第３表示制御手段をさらに備える、
ようにしたことを特徴とする、請求項１４記載の発明であってもよい。
【００２１】
請求項１に従属する発明として、
前記表示部にライブビュー画像とプレビュー画像とが同時に表示されている状態において前記第１受付手段により撮影操作を受け付けた場合に、前記表示部に表示されているプレビュー画像とともに前記新たに生成されたプレビュー画像を追加して表示する第４表示制御手段をさらに備える、
ようにしたことを特徴とする、請求項１５記載の発明であってもよい。
【００２２】
また、上述した課題を解決するために請求項１６記載の発明は、
コンピュータに対して、
被写体を撮像して画像信号として出力する撮像手段から順次出力される画像信号に基づいて、被写体に係る本撮影前の画像を示すライブビュー画像を生成する機能と、
撮影を指示するための撮影操作を受け付けた場合に、前記撮像手段から出力される画像信号に基づいて、被写体に係る本撮影の画像を示すプレビュー画像を生成する機能と、
前記生成されたライブビュー画像と前記生成されたプレビュー画像とを表示部に同時に表示する機能と、
前記プレビュー画像に対応した撮影画像の保存を指示するための保存操作を受け付けた場合に、プレビュー画像に対応した撮影画像を記憶部に保存させる機能と、
前記ライブビュー画像と前記プレビュー画像とが前記表示部に同時に表示されている状態にあって、前記撮影操作の受け付けと、前記保存操作の受け付けとの両方の操作を受け付け可能に制御する機能と、
を実現させるためのプログラム、であることを特徴とする。
【発明の効果】
【００２３】
本発明によれば、ユーザの意図を反映した適切な撮影と画像の保存を両立することができ、実用性に富んだものとなる。
【図面の簡単な説明】
【００２４】
【図１】端末装置として適用した携帯電話機が利用可能な通信ネットワークシステムを示したブロック図。
【図２】携帯電話機１の基本的な構成要素を示したブロック図。
【図３】撮影機能の使用時におけるタッチ画面ＴＳにおいて、ライブビュー画像と複数枚のプレビュー画像とが同時に表示されている状態を示した図。
【図４】電源投入に伴って実行開始される携帯電話機１側の全体動作の概要を示したフローチャート。
【図５】撮影機能処理（図４のステップＡ６）を詳述するためのフローチャート。
【図６】図５の動作に続くフローチャート。
【図７】ライブビュー画像表示処理（図５のステップＢ２、図６のステップＢ１０）を詳述するためのフローチャート。
【図８】プレビュー画像表示処理（図５のステップＢ４、Ｂ６）を詳述するためのフローチャート。
【図９】保存処理Ａ（図５のステップＢ５、図６のステップＢ１２、Ｂ１７）を詳述するためのフローチャート。
【図１０】保存処理Ｂ（図６のステップＢ１５）を詳述するためのフローチャート。
【図１１】タッチ画面ＴＳの表示状態として、ライブビュー画像と複数枚のプレビュー画像とが同時に表示されている状態を具体的に示した図。
【図１２】本実施形態の変形例として、図８の保存処理Ａに代わる保存処理Ａを示したフローチャート。
【図１３】本実施形態の変形例として、（１）は、タッチ画面ＴＳの全体に表示されているプレビュー画像の下側部に４枚のプレビュー画像を重ね合わせて配列表示させた場合、（２）は、動画撮影のプレビュー画像の場合にその動画の再生表示状態を示した図。
【発明を実施するための形態】
【００２５】
以下、図１〜図１１を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）、撮影機能などが備えられている。携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、Ｗｅｂサイトをアクセスして閲覧可能となる。
【００２６】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２、画像記憶部Ｍ３などが設けられている。プログラム記憶部Ｍ１は、図４〜図１０に示した動作手順に応じて本実施形態を実現するためのプログラムや各種のアプリケーションなどが格納されているほか、それに必要とする情報などが記憶されている。各種情報一時記憶部Ｍ２は、フラグ情報、画面情報など、携帯電話機１が動作するために必要な各種の情報を一時的に記憶するワーク領域である。画像記憶部Ｍ３は、撮影機能により撮影された画像が記憶保存される領域である。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００２７】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＮから発信出力させる。
【００２８】
撮像部１６は、撮影機能を構成する構成要素で、静止画撮影のほかに動画撮影も可能なもので、図示しないが、カメラレンズ部、撮像素子（例えば、ＣＣＤあるいはＣＭＯＳ）、画像信号処理部、アナログ処理部、圧縮伸張部、各種センサ部（測距センサ、光量センサなど）などを有し、光学ズームを調整制御したり、オートフォーカス時の駆動制御、シャッタ駆動制御、露出、ホワイトバランスなどを制御したり、シャッタ速度（露光時間）を測定したりする。また、撮像部１６は、被写体に応じて望遠／広角の切り替えができる２焦点式レンズやズームレンズを備え、焦点距離を可変する画角変更機構を作動させて望遠／広角やズーム撮影を行うようにしている。
【００２９】
この撮像部１６には、例えば、１２枚／秒の高速撮影が可能な高速連写機能が備えられている。この撮像部１６により被写体を撮像した際に、中央制御部１１は、撮像部１６から出力される画像信号に基づいて、被写体に係る本撮影前の画像を示すライブビュー画像を生成したり、撮影操作を受け付け際には撮像部１６から順次出力される画像信号に基づいて、被写体に係る本撮影の画像を示すプレビュー画像を順次生成したりする。そして、中央制御部１１は、上述のように生成したライブビュー画像とプレビュー画像とを表示部１７に同時に表示させるようにしている。
【００３０】
表示部１７は、高精細液晶を使用し、例えば、文字情報、待受画像、テレビ映像などを表示するもので、撮影機能の使用時にはライブビュー画像を表示するファインダ画面（モニタ画面）となる。この場合、表示部１７には上述したようにライブビュー画像と複数枚のプレビュー画像とが同時に表示される。この表示部１７は、タッチスクリーン（タッチ画面）ＴＳを構成するもので、表示部１７の表面に、指の接触を検出する接触操作部（透明なタッチパネル）１８が積層配設されている。なお、接触操作部（透明なタッチパネル）１８は、静電容量方式でも抵抗膜方式でもよく、また、接触のほかに操作器具や指の押し込み（押圧）を検出可能する圧電方式であってもよい。
【００３１】
操作部１９は、ダイヤル入力、文字入力、コマンド入力などを入力するもので、中央制御部１１は、この操作部１９からの入力操作信号やタッチ画面ＴＳからの入力操作信号に応じた処理を実行する。ＲＴＣ（リアルタイムクロックモジュール）２０は、時計部を構成するもので、中央制御部１１は、ＲＴＣ２０から現在日時を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時などでも駆動される。
【００３２】
図３は、撮影機能の使用時におけるタッチ画面ＴＳにおいて、ライブビュー画像と複数枚のプレビュー画像とが同時に表示されている状態を示した図である。
タッチ画面ＴＳの中央部には、ライブビュー画像が表示され、このライブビュー画像を中心としてその周辺部には複数枚のプレビュー画像が表示される。なお、図中“１”〜“１２”の数字は、１２枚のプレビュー画像の配列順序を例示したもので、その配列順序は、左上角部を“１”とする時計回り方向となっているが、任意の並び順であってもよい。また、ライブビュー画像の大きさは、プレビュー画像の約４倍の大きさとなっている。
【００３３】
このようにタッチ画面ＴＳに複数枚のプレビュー画像が表示されている状態において、ユーザの所望するプレビュー画像を保存対象として選択する場合には、そのプレビュー画像の上を指などでタッチすると、そのプレビュー画像を識別するためにその外枠部分を太線表示させる。なお、図示の例では、配列順序の“３”番目及び“５”番目のプレビュー画像が保存対象として選択された場合を示している。その他のプレビュー画像はその外枠部分が細線表示となっており、保存対象として選択されていない非選択状態であることを識別するようにしている。このようにして保存対象として選択されたプレビュー画像に対応した撮影画面が画像記憶部Ｍ３に保存されると、保存済みであることを識別するためにそのプレビュー画像の全体をグレー表示させる。なお、図示の例では、配列順序の“１”番目及び“２”番目のプレビュー画像に対応した撮影画像が保存された場合を示している。
【００３４】
また、タッチ画面ＴＳの下側部には、各種のタッチキーとして選択解除キーＴＫ１、保存キーＴＫ２、撮影キーＴＫ３、終了キーＴＫ４が配設されている。選択解除キーＴＫ１は、保存対象として選択されているプレビュー画像に対してその選択の解除を指示するキーである。保存キーＴＫ２は、保存対象として選択されているプレビュー画像に対してその保存を指示するキーであるが、本実施形態においては、さらに保存対象として選択されているプレビュー画像の表示位置が直接タッチされた場合にも当該プレビュー画像に対応した撮影画像の保存を指示するようにしている。
【００３５】
撮影キーＴＫ３は、表示されているライブビュー画像の本撮影を指示するキーであるが、本実施形態においては、さらに表示されているライブビュー画像の表示位置が直接タッチされた場合にも当該ライブビュー画像に対する本撮影を指示するようにしている。終了キーＴＫ４は、撮影機能の終了を指示するキーである。このように本実施形態は、タッチ画面ＴＳにライブビュー画像が表示されている状態において撮影キーＴＫ３を操作したり、ライブビュー画像を直接タッチしたりする撮影操作の受け付と、この撮影操作に応じて表示された複数のプレビュー画像の中から保存対象のプレビュー画像を選択するための選択操作の受け付と、保存対象のプレビュー画像が選択されている状態において保存キーＴＫ２を操作したり、選択されているプレビュー画像を直接タッチしたりする保存操作の受け付けが可能となるように制御するようにしている。すなわち、タッチ画面ＴＳにライブビュー画像と複数のプレビュー画像とが同時に表示されている場合に、選択操作の受け付けと、撮影操作の受け付けと、保存操作の受け付けが有効となるように制御するようにしている。
【００３６】
次に、本実施形態における携帯電話機１の動作概念を図４〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３７】
図４は、電源投入に伴って実行開始される携帯電話機１側の全体動作の概要を示したフローチャートである。
先ず、携帯電話機１の中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。ここで、設定操作が行われたか（ステップＡ３）、撮影機能の起動操作が行われたか（ステップＡ５）、着信を検出したか（ステップＡ７）、電源オフ操作が行われたか（ステップＡ９）、その他の操作が行われたかを調べる（ステップＡ１１）。
【００３８】
いま、任意の情報を設定するための設定操作が行われたときには（ステップＡ３でＹＥＳ）、その操作に対応する各種の設定処理を行った後（ステップＡ４）、上述のステップＡ３に戻る。また、撮影機能の起動操作が行われたときには（ステップＡ５でＹＥＳ）、後述する撮影機能処理を行った後（ステップＡ６）、上述のステップＡ３に戻る。着信を検出したときには（ステップＡ７でＹＥＳ）、その応答操作に応じて通話処理を行った後（ステップＡ８）、上述のステップＡ３に戻る。電源オフ操作を検出したときには（ステップＡ９でＹＥＳ）、電源オフ処理を行った後（ステップＡ１０）、このフローの終了となるが、発信操作など、その他の操作が行われたときには（ステップＡ１１でＹＥＳ）、操作に応じた処理として発信処理などを行った後（ステップＡ１２）、上述のステップＡ３に戻る。
【００３９】
図５及び図６は、撮影機能処理（図４のステップＡ６）を詳述するためのフローチャートである。
先ず、中央制御部１１は、起動操作に応答して撮影機能を起動した後に（図５のステップＢ１）、その起動に応じて撮像部１６から取得した画像信号に基づいてライブビュー画像を生成して表示するライブビュー画像表示処理に移る（ステップＢ２）。
【００４０】
図７は、ライブビュー画像表示処理（図５のステップＢ２など）を詳述するためのフローチャートである。
先ず、中央制御部１１は、撮像部１６から出力される画像信号を取得すると（ステップＣ１）、この画像信号に基づいて、被写体に係る本撮影前の画像を示すライブビュー画像を生成して（ステップＣ２）、各種情報一時記憶部Ｍ２に一時記憶（上書き記憶）させる（ステップＣ３）。そして、タッチ画面ＴＳにプレビュー画像が表示中であるかを調べ（ステップＣ４）、表示中でなければ（ステップＣ４でＮＯ）、ライブビュー画像をタッチ画面ＴＳの全体サイズ（大きなサイズ）で表示させるが（ステップＣ６）、プレビュー画像が表示中であれば（ステップＣ４でＹＥＳ）、ライブビュー画像とプレビュー画像をタッチ画面ＴＳに同時に表示させる（ステップＣ５）。この場合、図３に示すようにタッチ画面ＴＳの中央部分のサイズでライブビュー画像を表示させるとともに、その周辺部分にプレビュー画像を割り当て表示させる。その後、図５のフローに戻る。
【００４１】
このようなライブビュー画像表示処理（図５のステップＢ２）が終わると、表示されているライブビュー画像の本撮影を指示する撮影操作が行われたか（ステップＢ３）、撮影機能の終了を指示する終了操作が行われたかを調べる（ステップＢ８）。いま、終了操作が行われたときには（ステップＢ８でＹＥＳ）、撮影機能を終了させた後（ステップＢ９）、図４のステップＡ３に戻るが、撮影操作が行われたときには（ステップＢ３でＹＥＳ）、プレビュー画像が表示中であるかを調べ（ステップＢ４）、プレビュー画像が表示中でなければ（ステップＢ４でＮＯ）、後述するプレビュー画像表示処理に移る（ステップＢ６）。また、プレビュー画像が表示中であれば（ステップＢ４でＹＥＳ）、プレビュー画像に対応した撮影画像を保存する保存処理Ａを実行した後に（ステップＢ５）、プレビュー画像表示処理に移る（ステップＢ６）。
【００４２】
図８は、プレビュー画像表示処理（図５のステップＢ６など）を詳述するためのフローチャートである。
先ず、中央制御部１１は、撮像部１６から出力される画像信号を取得すると（ステップＤ１）、この画像信号に基づいて、プレビュー画像を生成して（ステップＤ２）、各種情報一時記憶部Ｍ２に一時記憶させる（ステップＤ３）。ここで、撮影操作時に高速連写機能による連写撮影が指示された場合には、撮像部１６から連続的に出力される画像信号に基づいて複数枚のプレビュー画像を生成して各プレビュー画像を順次一時記憶させる。そして、タッチ画面ＴＳにプレビュー画像が表示中であるかを調べ（ステップＤ４）、表示中でなければ（ステップＤ４でＮＯ）、今回生成したプレビュー画像とライブビュー画像とをタッチ画面ＴＳに同時に表示させる（ステップＤ６）。また、プレビュー画像が表示中であれば（ステップＤ４でＹＥＳ）、表示中のプレビュー画像を消去した後（ステップＤ５）、今回生成したプレビュー画像とライブビュー画像とをタッチ画面ＴＳに同時に表示させる（ステップＤ６）。その後、図５のフローに戻る。
【００４３】
図１１は、タッチ画面ＴＳの表示状態として、ライブビュー画像と複数枚のプレビュー画像とが同時に表示されている状態を具体的に示した図である。この例では、自動車が通り過ぎる画像を示したもので、タッチ画面ＴＳの中央部には、ライブビュー画像として自動車が通り過ぎた状態の画像（自動車のリア部分の画像）が表示され、このライブビュー画像を中心としてその周辺部には複数枚のプレビュー画像として、自動車が侵入してきた状態の画像（自動車のフロント部分の画像）、…、自動車の全体が写し込まれた画像、…、自動車が通り過ぎた状態の画像（自動車のリア部分の画像）が表示される。
【００４４】
図９は、保存処理Ａ（図５のステップＢ５など）を詳述するためのフローチャートである。
先ず、中央制御部１１は、タッチ画面ＴＳに表示されているプレビュー画像のうち、保存対象として選択されているプレビュー画像（外枠が太線表示されているプレビュー画像）が有るかを調べ（ステップＥ１）、選択されているプレビュー画像が無ければ（ステップＥ１でＮＯ）、この時点で図５のフローに戻る。いま、保存対象として選択されているプレビュー画像が有れば（ステップＥ１でＹＥＳ）、選択されているプレビュー画像を適切なフォーマット（例えば、ＪＰＥＧ）にした画像ファイルを生成して画像記憶部Ｍ３に記憶保存させる（ステップＥ２）。
【００４５】
このようにして保存させた撮影画像に対応したプレビュー画像に保存識別表示（図３に示すグレー表示）を行うとともに（ステップＥ３）、それを非選択状態とするために、例えば、選択有無を示す選択フラグ（図示省略）を“０（非選択）”とすることにより非選択状態であることを一時記憶させる（ステップＥ４）。そして、保存させた撮影画像に対応したプレビュー画像の太線表示（選択識別表示）を細線表示（非選択識別表示）に切り替えた後（ステップＥ５）、図５のフローに戻り、上述したプレビュー画像表示処理（図５のステップＢ６）の実行に移る。
【００４６】
このようなプレビュー画像表示処理（図５のステップＢ６）が終わると、無操作タイマ（図示省略）をスタートさせる（ステップＢ７）。この無操作タイマは、選択解除キーＴＫ１、保存キーＴＫ２、撮影キーＴＫ３、終了キーＴＫ４の操作やプレビュー画像へのタッチが行われていない無操作時間（例えば、３分）を計時するタイマである。そして、図６のステップＢ１０に移り、図７で示したライブビュー画像表示処理を再実行することにより、撮像部１６から出力される画像信号に基づいてライブビュー画像を生成して表示させる。この状態において、保存キーＴＫ２へのタッチを検出したか（ステップＢ１１）、タッチ画面ＴＳ上のプレビュー画像へのタッチを検出したか（ステップＢ１４）、上述の無操作タイマがタイムアウトになったか（ステップＢ１６）、選択解除キーＴＫ１へのタッチを検出したか（ステップＢ１８）、撮影キーＴＫ３へのタッチを検出したか（ステップＢ２１）、終了キーＴＫ４へのタッチを検出したかを調べる（ステップＢ２２）。
【００４７】
いま、保存キーＴＫ２へのタッチを検出したときには（ステップＢ１１でＹＥＳ）、図９で示した保存処理Ａに移り、保存対象として選択されているプレビュー画像に対応した撮影画像から適切なフォーマットにした画像ファイルを生成して画像記憶部Ｍ３に記憶保存させるとともに保存識別表示を行わせる（ステップＢ１２）。その後、上述の無操作タイマをスタートさせた後（ステップＢ１３）、ライブビュー画像表示処理に戻る（ステップＢ１０）。また、タッチ画面ＴＳ上のプレビュー画像へのタッチを検出したときには（ステップＢ１４でＹＥＳ）、保存処理Ｂに移る（ステップＢ１５）。
【００４８】
図１０は、保存処理Ｂ（図６のステップＢ１５）を詳述するためのフローチャートである。
先ず、中央制御部１１は、タッチされたプレビュー画像は選択状態か、つまり、保存対象として選択されているプレビュー画像がタッチされたのかを調べ（ステップＦ１）、タッチされたプレビュー画像が選択状態でなければ（ステップＦ１でＮＯ）、非選択状態のプレビュー画像がタッチされた場合であるから、タッチされたプレビュー画像を保存対象として選択する（ステップＦ６）。この場合、選択有無を示す選択フラグ（図示省略）を“１（選択）”とすることにより選択状態であることを一時記憶させる。そして、選択されたプレビュー画像を識別するためにその外枠部分を太線表示（選択識別表示）させた後（ステップＦ７）、図６のフローに戻る。
【００４９】
また、タッチされたプレビュー画像が選択状態であれば（ステップＦ１でＹＥＳ）、保存対象として選択されているプレビュー画像がタッチされた場合であるから、タッチされたプレビュー画像に対応した撮影画像から適切なフォーマットにした画像ファイルを生成して画像記憶部Ｍ３に記憶保存させた後（ステップＦ２）、そのプレビュー画像に対して保存識別表示を行わせる（ステップＦ３）。そして、保存させた撮影画像に対応したプレビュー画像を非選択状態とするために、選択フラグ（図示省略）を“０（非選択）”とすることにより非選択状態であることを一時記憶させる（ステップＦ４）。そして、保存させた撮影画像に対応したプレビュー画像の太線表示（選択識別表示）を細線表示（非選択識別表示）に切り替えた後（ステップＦ５）、図６のフローに戻る。
【００５０】
このような保存処理Ｂが終わると（図６のステップＢ１５）、上述の無操作タイマをスタートさせた後（ステップＢ１３）、ライブビュー画像表示処理に戻る（ステップＢ１０）。また、無操作タイマがタイムアウトになったときには（ステップＢ１６でＹＥＳ）、図９で示した保存処理Ａに移り、保存対象として選択されているプレビュー画像に対応した撮影画像から適切なフォーマットにした画像ファイルを生成して画像記憶部Ｍ３に記憶保存させるとともに保存識別表示を行わせる（ステップＢ１７）。その後、上述の無操作タイマをスタートさせた後（ステップＢ１３）、ライブビュー画像表示処理に戻る（ステップＢ１０）。
【００５１】
また、保存対象として選択されているプレビュー画像に対してその選択の解除を指示する選択解除操作ＴＫ１へのタッチを検出したときには（ステップＢ１８でＹＥＳ）、タッチ画面ＴＳに表示されている全てのプレビュー画像を非選択状態とするとともに（ステップＢ１９）、保存させた撮影画像に対応したプレビュー画像の太線表示（選択識別表示）を細線表示（非選択識別表示）に切り替える（ステップＢ２０）。この場合、選択フラグ（図示省略）を“０（非選択）”とすることにより非選択状態であることを一時記憶させる。そして、上述の無操作タイマをスタートさせた後（ステップＢ１３）、ライブビュー画像表示処理に戻る（ステップＢ１０）。また、撮影キーＴＫ３へのタッチを検出したときには（ステップＢ２１でＹＥＳ）、上述の撮影キーＴＫ３の操作時と同様に、図５のステップＢ４に移る。また、終了キーＴＫ４へのタッチを検出したときには（ステップＢ２２でＹＥＳ）、上述の終了キーＴＫ４の操作時と同様に、図５のステップＢ９に移る。
【００５２】
以上のように、本実施形態においては、中央制御部１１は、ライブビュー画像とプレビュー画像とをタッチ画面ＴＳに同時に表示させている状態において、タッチ画面ＴＳからの撮影操作の受け付けとプレビュー画像の保存を指示する保存操作の受け付けとの両方の操作を受け付け可能に制御するようにしたので、ユーザの意図を反映した適切な撮影と画像の保存を両立することができ、ユーザにあっては、表示されているライブビュー画像を確認して適切なタイミング（ユーザの意図するタイミング）で撮影を指示することができるとともに、表示されているプレビュー画像を確認してユーザが必要とする画像の保存を指示することができ、実用性に富んだものとなる。
【００５３】
プレビュー画像を複数生成し、この複数のプレビュー画像をライブビュー画像とともにタッチ画面ＴＳに同時に表示するようにしたので、ユーザにあっては、表示されているライブビュー画像を確認しながら適切なタイミングで撮影を指示することができるとともに、表示されている複数のプレビュー画像の中からユーザが必要とする画像の保存を指示することができる。
【００５４】
ライブビュー画像とプレビュー画像とをタッチ画面ＴＳに同時に表示させている状態において、タッチ画面ＴＳからの撮影操作の受け付けと保存操作の受け付けと選択操作を受け付け可能に制御するようにしたので、複数のプレビュー画像の中からユーザが必要とする画像を選択することができるとともに、選択したプレビュー画像に対応した撮影画像の保存を指示することができる。
【００５５】
選択操作によっていずれかのプレビュー画像が選択されている状態において保存操作を受け付けた場合に、選択されているプレビュー画像に対応した撮影画像を保存するようにしたので、いずれかのプレビュー画像が選択されている状態にあって、ユーザは、表示されているライブビュー画像を確認して適切なタイミングで撮影することができるとともに、選択されているプレビュー画像に対応した撮影画像を保存することができる。
【００５６】
選択操作によっていずれかのプレビュー画像が選択されている状態において撮影操作を受け付けた場合に、選択されているプレビュー画像に対応した撮影画像を保存するようにしたので、いずれかのプレビュー画像が選択されている状態にあって、ユーザは、表示されているライブビュー画像を確認して適切なタイミングで撮影することができるとともに、選択されているプレビュー画像に対応した撮影画像を保存することができる。
【００５７】
選択操作によっていずれかのプレビュー画像が選択されている状態において、撮影操作、保存操作、選択操作のいずれも所定時間内に受け付けなかった場合に、選択されているプレビュー画像に対応した撮影画像を保存するようにしたので、特別な操作を行わなくてもプレビュー画像に対応した撮影画像を保存することができ、保存忘れを防ぐことが可能となる。
【００５８】
撮影操作を受け付けた場合に、撮像部１６から連続的に出力される画像信号に基づいて、プレビュー画像を複数生成するようにしたので、ユーザにあっては、連続的に出力される画像信号に基づいて生成された複数のプレビュー画像のうち保存対象とするプレビュー画像を選択したり、選択したプレビュー画像に対応した撮影画像を保存したりすることができる。
【００５９】
プレビュー画像に対応した撮影画像が保存されている場合に、そのプレビュー画像に対応した撮影画像が保存されたことを識別するための識別表示を行うようにしたので、例えば、ユーザにあっては、どのプレビュー画像に対応した撮影画像をこれから保存させるか、これ以上プレビュー画像に対応した撮影画像を保存させる必要がないかなどを容易に確認することができる。
【００６０】
ライブビュー画像とプレビュー画像とが同時に表示されている状態において撮影操作を受け付けた場合に、表示されているプレビュー画像を新たに生成されたプレビュー画像に切り替えて表示するようにしたので、ユーザにあっては、新たに生成されたプレビュー画像を確認することができる。
【００６１】
なお、上述した実施形態においては、図８に示す保存処理Ａを行うようにしたが、図１２に示す保存処理Ａを行うようにしてもよい。この保存処理Ａは、撮影操作を受け付けた場合に（図５のステップＢ３でＹＥＳ）、タッチ画面ＴＳにプレビュー画像が表示されていることを条件に（ステップＢ４でＹＥＳ）、図８に代わって実行される（ステップＢ５）。また、保存操作を受け付けた場合に（図６のステップＢ１１でＹＥＳ）、図８に代わって実行される（ステップＢ１２）。また、無操作タイマがタイムアウトとなった場合に（図６のステップＢ１６でＹＥＳ）、図８に代わって実行される（ステップＢ１７）。
【００６２】
このように図８に代わって図１２に示す保存処理Ａを実行することにより、次の（１）〜（５）を実現するようにしてもよい。すなわち、（１）、上述した実施形態では、選択操作によっていずれかのプレビュー画像が選択されている状態において撮影操作を受け付けた場合に、選択されているプレビュー画像に対応した撮影画像を保存するようにしたが、いずれかのプレビュー画像が選択されている状態であっても、撮影操作を受け付けた場合には、表示されているプレビュー画像に対応した撮影画像を保存するようにしてもよい。（２）、上述した実施形態では、いずれのプレビュー画像も選択されていない状態において撮影操作を受け付けても、プレビュー画像に対応した撮影画像を保存しないようにしたが、いずれのプレビュー画像も選択されていない状態において撮影操作を受け付けた場合に、表示されているプレビュー画像に対応した撮影画像を保存するようにしてもよい。
【００６３】
（３）、上述した実施形態では、いずれかのプレビュー画像が選択されている状態において保存操作を受け付けた場合に、選択されているプレビュー画像に対応した撮影画像を保存するようにしたが、いずれのプレビュー画像も選択されていない状態で保存操作を受け付けた場合には、表示されているプレビュー画像に対応した撮影画像を保存するようにしてもよい。さらに、（４）、上述した実施形態では、いずれかのプレビュー画像が選択されている状態において撮影操作、保存操作、選択操作のいずれも所定時間内に受け付けなかった場合に（無操作タイマがタイムアウトとなった場合に）、選択されているプレビュー画像に対応した撮影画像を保存するようにしたが、無操作タイマがタイムアウトとなった場合には、表示部に表示されているプレビュー画像に対応した撮影画像を保存するようにしてもよい。（５）、上述した実施形態では、いずれかのプレビュー画像が選択されていない状態においては、プレビュー画像に対応した撮影画像を保存しないようにしたが、いずれかのプレビュー画像が選択されていない状態において、無操作タイマがタイムアウトとなった場合には、表示されているプレビュー画像に対応した撮影画像を保存するようにしてもよい。
【００６４】
先ず、中央制御部１１は、タッチ画面ＴＳに表示されているプレビュー画像が選択されているか否かに関わらず、表示されているプレビュー画像に対応した撮影画像から適切なフォーマットにした画像ファイルを生成して画像記憶部Ｍ３に記憶保存させる（図１２のステップＥ１１）。この場合、タッチ画面ＴＳに表示されている全てのプレビュー画像に対応した撮影画像を保存させる。その後、保存させた撮影画像に対応したプレビュー画像に保存識別表示（図３に示すグレー表示）を行うとともに（ステップＥ１２）、それを非選択状態とするために、例えば、選択有無を示す選択フラグ（図示省略）を“０（非選択）”とすることにより非選択状態であることを一時記憶させる（ステップＥ１３）。そして、保存させた撮影画像に対応したプレビュー画像の太線表示（選択識別表示）を細線表示（非選択識別表示）に切り替えた後（ステップＥ１４）、図５のフローに戻る。
【００６５】
このように選択操作によっていずれかのプレビュー画像が選択されている状態において撮影操作を受け付けた場合に、表示されているプレビュー画像に対応した撮影画像を保存するようにすれば、ユーザにあっては、表示されているライブビュー画像を確認して適切なタイミングでその撮影を指示することができるとともに、プレビュー画像に対応した撮影画像の保存忘れを防ぐことができる。
【００６６】
いずれのプレビュー画像も選択されていない状態において撮影操作を受け付けた場合に、表示されているプレビュー画像に対応した撮影画像を保存するようにすれば、表示されているライブビュー画像を確認して適切なタイミングでその撮影を指示することができるとともに、プレビュー画像に対応した撮影画像の保存忘れを防ぐことができる。
【００６７】
また、選択操作によっていずれのプレビュー画像も選択されていない状態において保存操作を受け付けた場合には、タッチ画面ＴＳに表示されているプレビュー画像に対応した撮影画像を保存するようにすれば、いずれのプレビュー画像も選択されていない場合には表示されている全てのプレビュー画像を保存対象としてみなして、それらに対応した撮影画像を保存することができる。
【００６８】
選択操作によっていずれかのプレビュー画像が選択されている状態において無操作タイマがタイムアウトとなった場合には、表示されているプレビュー画像に対応した撮影画像を保存するようにすれば、特別な操作を行わなくてもプレビュー画像に対応した撮影画像を保存することができ、保存忘れを防ぐことが可能となる。
【００６９】
いずれかのプレビュー画像も選択されていない状態においても無操作タイマがタイムアウトとなった場合には、表示されているプレビュー画像に対応した撮影画像を保存するようにすれば、特別な操作を行わなくてもプレビュー画像に対応した撮影画像を保存することができ、保存忘れを防ぐことが可能となる。
【００７０】
また、上述した実施形態では、ライブビュー画像とプレビュー画像とが同時に表示されている状態において撮影操作を受け付けた場合に、表示されているプレビュー画像を新たに生成されたプレビュー画像に切り替えて表示するようにしたが、表示されているプレビュー画像とともに新たに生成されたプレビュー画像を追加して表示するようにしてもよい。この場合、図８のステップＤ５では、表示中のプレビュー画像を消去する処理を行うようにしたが、このステップＤ５において、表示中のプレビュー画像に、生成されたプレビュー画像を追加する処理を行うようにすればよい。
【００７１】
このようにライブビュー画像とプレビュー画像とが同時に表示されている状態において撮影操作を受け付けた場合に、表示されているプレビュー画像に、生成されたプレビュー画像を追加するようにすれば、ライブビュー画像とプレビュー画像とが同時に表示されている状態にあって、ユーザにあっては、表示されているプレビュー画像と新たに生成されたプレビュー画像の両方を確認することができる。
【００７２】
また、無操作タイマのタイムアウトの場合、プレビュー画像を（それに対応した撮影画像を保存してもしなくても）表示部１７から消去するようにしてもよい。また、保存された撮影画像に対応したプレビュー画像は表示部１７から消去するようにしてもよい。
【００７３】
また、選択されたプレビュー画像の識別表示は、太枠表示に限らず、例えば、選択されていないプレビュー画像と区別可能な任意の識別表示であればよい。例えば、選択識別表示を実線表示とした場合に非選択識別表示を点線枠表示としたり、選択識別表示を赤線枠表示とした場合に非選択識別表示を黒線枠表示としたり、選択識別表示を画像点滅表示とした場合に非選択識別表示を画像常時表示としたりするようにしてもよい。また、保存された撮影画像に対応したプレビュー画像の識別表示は、グレー表示に限らず、保存されていない撮影画像に対応したプレビュー画像と区別可能な任意の識別表示であればよい。
【００７４】
上述した実施形態においては、選択状態のプレビュー画像にタッチした場合には、そのタッチは保存操作となり、非選択状態のプレビュー画像にタッチした場合には、そのタッチは選択操作となるようにしたが、例えば、選択状態のプレビュー画像にタッチした場合には、そのタッチは選択状態を解除する操作となるようにしてもよく、保存キーにタッチした場合には、そのタッチは保存操作になるなど、それぞれの操作は区別可能な任意の操作手順であればよい。また、複数の操作手順の中からメニューなどでユーザが選択できるようにしてもよい。
【００７５】
上述した実施形態においては、タッチ画面ＴＳの中央部にライブビュー画像を表示させ、このライブビュー画像を中心としてその周辺部に複数枚のプレビュー画像を表示させるようにしたが、プレビュー画像とライブビュー画像の配置状態や表示サイズは任意であり、また、同時に表示するようにすればよく、一部が重なるようになっていてもよい。例えば、図１３（１）に示すように、タッチ画面ＴＳの全体にライブビュー画像を表示させた状態において、このプレビュー画像の下側部に４枚のプレビュー画像を重ね合わせて配列表示させるようにしてもよい。また、複数枚のプレビュー画像を重ね合わせて横一列に配列表示させる場合に限らず、縦一列に配列表示させるようにしてもよい。
【００７６】
上述した実施形態においては、プレビュー画像として静止画の場合を例示したが、動画であってよい。また、プレビュー画像は複数でなく１つでもよく、さらに、連続撮影に限らず、１枚の撮影であってもよい。例えば、図１３（２）に示すように、タッチ画面ＴＳの全体を四等分にして、その左上領域をライブビュー画像の表示領域として、右下領域をプレビュー画像の表示領域とした場合に、動画撮影のプレビュー画像の場合には、このプレビュー画像の表示領域で動画を再生するようにしてもよい。
【００７７】
上述した実施形態においては、タッチ画面ＴＳ上で、撮影操作、選択操作、選択解除操作、保存操作を行うようにしたが、タッチ操作に限らず、例えば、キー操作部の該当するボタンを押下したり、回転操作したりするなど、任意の操作であってもよい。
【００７８】
上述した実施形態においては、撮像部１６を携帯電話機１に備えが、携帯電話機１で制御可能な外部カメラなど、任意の撮像手段であってもよい。また、表示部１７は携帯電話機１に備えたが、外部モニタなど、任意の外部表示装置であってもよい。
【００７９】
その他、端末装置としては携帯電話機に限らず、パーソナルコンピュータ、ＰＤＡ、デジタルカメラ、音楽プレイヤーなど、任意の端末装置であってもよい。さらに、ストレートタイプの端末装置に限らず、折り畳みタイプ、スライドタイプ、スピントップタイプなど任意の筐体構造であってもよい。
【００８０】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８１】
１  携帯電話機
１１  中央制御部
１６  撮像部
１７  表示部
１３  記憶部
１９  操作部
Ｍ１  プログラム記憶部
Ｍ２  各種情報一時記憶部
Ｍ３  画像記憶部
ＴＳ  タッチ画面
【図１】
2012015827.tif 000003
【図２】
2012015827.tif 000004
【図３】
2012015827.tif 000005
【図４】
2012015827.tif 000006
【図５】
2012015827.tif 000007
【図６】
2012015827.tif 000008
【図７】
2012015827.tif 000009
【図８】
2012015827.tif 000010
【図９】
2012015827.tif 000011
【図１０】
2012015827.tif 000012
【図１１】
2012015827.tif 000013
【図１２】
2012015827.tif 000014
【図１３】
2012015827.tif 000015